(57)【要約】【課題】施工性や取扱性に優れる金属柵を提供すること。【解決手段】設置面に配置して土留機能や転石捕捉機能を発揮するための、金属柵であって、設置面の左右方向に所定間隔を設けて立設する、複数の支柱と、前記支柱間に配置する、面材と、を少なくとも有する。面材を少なくとも一部をメッシュ状としてある一部材のエキスパンドメタルとすることで強度を確保しつつ、軽量化と排水性の向上を図る。【選択図】図１
0003210932.tif 000002
【実用新案登録請求の範囲】
【請求項１】
設置面に配置して土留機能や転石捕捉機能を発揮するための、金属柵であって、
設置面の左右方向に所定間隔を設けて立設する、複数の支柱と、
前記支柱間に配置する、面材と、を少なくとも有し、
前記面材は、少なくとも一部をメッシュ状としてある一部材のエキスパンドメタルを少なくとも１つ以上含んでなることを特徴とする、
金属柵。
【請求項２】
前記面材が、該面材の上縁部、中間部および下縁部を除いた箇所をメッシュ状としてあることを特徴とする、
請求項１に記載の金属柵。
【請求項３】
前記上縁部および下縁部の端部を前後方向に折曲する折曲部を有し、前記折曲して前記面材を段積みしてあることを特徴とする、
請求項２に記載の金属柵。
【請求項４】
前記中間部に、前後方向に突出するリブを設けてあることを特徴とする、
請求項２または３に記載の金属柵。
【請求項５】
前記支柱および前記面材が、スーパーダイマ（登録商標）からなることを特徴とする、
請求項１乃至４のうち何れか１項に記載の金属柵。
【考案の詳細な説明】
【技術分野】
【０００１】
本考案は、法面などの設置面に配置して、土留機能や、小規模な地山崩壊機能および転石捕捉機能を発揮するための金属柵に関する。
【背景技術】
【０００２】
土地の区画整理や土留に用いる柵体として、下記の特許文献１に記載の木柵が知られている。
この木柵は、地盤に立設する木製支柱と、前記木製支柱に取り付ける柵材とを有し、前記木製支柱の下部に設けた金属製棒材を杭材として地盤に打ち込んで設置することで、景観性に優れる木柵の立設状態を強固に保持する効果を達成している。
【先行技術文献】
【特許文献】
【０００３】
【特許文献１】特開２０００−３４７３１号公報
【考案の概要】
【考案が解決しようとする課題】
【０００４】
一方で、従来知られる木柵には、以下の問題のうち、少なくとも何れか１つの問題を有している。
（１）支柱や柵材に用いる丸太材が重く、人力での搬入が困難である。
（２）丸太が腐食するため、耐用年数が短い。
（３）柵材を隙間無く取り付けるため、水はけが悪い。
（４）事後的に高さ調整を行う際の作業性が悪い。
【０００５】
よって、本考案は、上記の課題のうち少なくとも何れか１つを解決することで、施工性や取扱性に優れる金属柵の提供を目的の１つとする。
【課題を解決するための手段】
【０００６】
上記課題を解決すべくなされた本願の第１発明は、設置面に配置して土留機能や転石捕捉機能を発揮するための、金属柵であって、設置面の左右方向に所定間隔を設けて立設する、複数の支柱と、前記支柱間に配置する、面材と、を少なくとも有し、前記面材は、少なくとも一部をメッシュ状としてある一部材のエキスパンドメタルを少なくとも１つ以上含んでなることを特徴とする。
また、本願の第２発明は、前記第１発明において、前記面材が、該面材の上縁部、中間部および下縁部を除いた箇所をメッシュ状としてあることを特徴とする。
また、本願の第３発明は、前記第２発明において、前記上縁部および下縁部の端部を前後方向に折曲する折曲部を有し、前記折曲して前記面材を段積みしてあることを特徴とする
また、本願の第４発明は、前記第２発明または第３発明において、前記中間部に、前後方向に突出するリブを設けてあることを特徴とする。
また、本願の第５発明は、前記第１乃至第４発明のうち何れか１つの発明において、前記支柱および前記面材が、スーパーダイマ（登録商標）からなることを特徴とする。
【考案の効果】
【０００７】
本考案によれば、以下に記載する効果のうち少なくとも何れか１つの効果を奏する。
（１）面材を少なくとも一部をメッシュ状としてある一部材のエキスパンドメタルで形成することにより、軽量で運搬性に優れる。
（２）面材の少なくとも一部がメッシュ状を呈することにより、水はけを向上に繋がり、降雨にも強くなる。
（３）面材を構成する鋼板の一部をメッシュ状にし、その余の部分を帯状のままとすることで、当該帯部分が補強フレームとなり、面材の強度確保に寄与する。
（４）面材の上縁部および下縁部の端部を前後方向に折曲してあることで、複数の面材を上下に段積みすることができる。
（５）面材の中間部に前後方向に突出するリブを設けておくことで、面材の強度をより高めることができる。
（６）面材を構成する鋼板に、スーパーダイマ（登録商標）を用いることにより、錆びに強く、耐用性に優れる。
【図面の簡単な説明】
【０００８】
【図１】実施例１に係る金属柵を示す概略図。
【図２】実施例２に係る金属柵を示す概略図。
【考案を実施するための形態】
【０００９】
以下、図面を参照しながら、本考案の実施例について説明する。
【実施例１】
【００１０】
＜１＞全体構成
本考案に係る金属柵Ａは、設置面Ｘに配置して土留機能や転石捕捉機能を発揮するための柵体である。
図１に示すように、金属柵Ａは複数の支柱１０と、前記支柱間に取り付ける少なくとも１つ以上の面材２０と、前記支柱１０と面材２０とを連結する連結具３０と、を具備している。
以下、各構成要素の詳細について説明する。
【００１１】
＜２＞支柱
支柱１０は、設置面Ｘに所定間隔を設けて立設するための部材である。
本実施例では、支柱１０は、直径３４ｍｍ、厚みが２．３ｍｍ、全長が１２００ｍｍの鋼管を用いている。
支柱１０の頭部には、支柱１０内部への水の浸入を防止する蓋体であるキャップ１１を取り付けている。
支柱１０の下部は、設置面Ｘへの根入れ部分となるため、下端を先細形状とするなどの加工を施しておいても良い。
【００１２】
＜２．１＞支柱の素材
支柱１０は、従来使用されていた一般的な亜鉛メッキではなく、高耐食性めっきを施した鋼材で製作することが好ましい。
この高耐食性めっきを施した鋼材としては、新日鉄住金株式会社のスーパーダイマ（登録商標）などがある。
スーパーダイマは、めっき層成分が、亜鉛を主として約１１％のアルミニウム、約３％のマグネシウムおよび微量のシリコンからなる部材である。
【００１３】
＜３＞面材
面材２０は、本発明に係る金属柵Ａにおいて土留柵として背面土の土圧に抵抗する受圧面や、防護柵として転石を受撃する捕捉面を構成するための部材である。
本実施例では、面材２０を、該面材２０の少なくとも一部をメッシュ状としたエキスパンドメタルで構成している。
面材２０を構成するエキスパンドメタルは、支柱１０と同様、スーパーダイマなどの高耐食性めっきを施した鋼板で形成する。
【００１４】
＜３．１＞エキスパンドメタル
エキスパンドメタルとは、鋼板をエキスパンド製造機によって千鳥状に切れ目を入れながら押し広げ、その切れ目を菱形や亀甲形に成形したメッシュ状の部材である。
ただし、本実施例では、面材２０の上縁部２１、中間部２２、下縁部２３に相当する箇所には切れ目を入れないことで、上縁部２１、中間部２２および下縁部２３が帯状のままとなり、その余の部分がメッシュ部２４となる態様を呈している。
このメッシュ部２４が通水部として機能することで水はけの向上を図ることができる。
さらにこのメッシュ部２４は、面材２０全体の重量軽減にも寄与する。
本実施例で用いる面材２０は、厚さ１．２ｍｍ、高さ５００ｍｍ、長さ１８００ｍｍあたりで約２．６３ｋｇの重量であるため、人力での運搬が容易である。
【００１５】
＜３．２＞柵高方向の態様
面材２０は、その柵高方向を一部材で構成することで全体の強度を高めている。
よって、本考案では、複数部材で面材２０を形成する態様（例えば、面材２０の枠部分を鋼板で形成し、枠内に金網やエキスパンドメタルなどのメッシュ部材を取り付けた態様など）は採用しない。
【００１６】
＜３．３＞柵幅方向の配置態様
なお、金属柵Ａの幅方向において、複数の面材２０を連続配置する際には隣り合う面材２０の側縁同士を所定の幅で重ね合わせるよう配置してもよい。
本実施例では、支柱１０と面材２０との連結箇所において隣り合う面材２０を重ねておき、両面材２０を連結具３０でまとめて支柱１０に連結するように構成している。
【００１７】
＜３．４＞リブの形成
さらに、本実施例では、面材２０の中間部２２に前後方向に突出するように形成したリブ２２１を設けることで、面材２０の強度をより高めている。
リブ２２１の形成方法は、面材２０を構成するエキスパンドメタルの中間部２２１に相当する部分を適宜折り返して形成する方法や、リブ２２１に相当する鋼材を別途溶接する方法があるが、前者の方法が施工コストの面から好ましい。
【００１８】
＜４＞金属柵の構築方法
次に、本考案に係る金属柵の構築手順の一例について説明する。
【００１９】
＜４．１＞支柱の設置
まず、設置面Ｘの幅方向に向かって適宜間隔を設けながら支柱１０を杭体として設置面Ｘに打ち込んで立設する。
この支柱１０の設置間隔は、面材２０の幅長に併せて適宜決定する。
【００２０】
＜４．２＞面材の配置
次に支柱１０間にメッシュ部２４を有する面材２０を敷き渡していく。
支柱１０と面材２０との連結は公知の連結具３０を用いている。
本実施例では、連結具３０を、面材の網目に挿通可能なＵボルト３１と、前記Ｕボルト３１に挿入・締結可能なプレート３２およびナット３３で構成している。
【００２１】
＜４．３＞作業完了
前記＜４．１＞＜４．２＞の作業を順次繰り返したり、矛盾のない範囲で並行して実施したりすることにより、設置面Ｘへの金属柵Ａの構築作業を完了する。
【実施例２】
【００２２】
図２に、本考案の実施例２に係る金属柵を示す。
本実施例では、面材２０の上縁部２１および下縁部２３の端部を水平方向に折曲してなる折曲部２１１，２３１を設けておき、該折曲部２１１，２３１を介して複数の面材２０を上下方向に段積みした構成を呈している。
支柱１０は、上下方向の複数の面材２０に対して一部材で構成してもよいし、複数部材を互いに連結して構成してもよい。
本実施例によれば、面材を上下方向に段積みすることによって柵高の調整が容易となる。
【符号の説明】
【００２３】
Ａ      金属柵
１０    支柱
１１    キャップ
２０    面材
２１    上縁部
２１１  折曲部
２２    中間部
２２１  リブ
２３    下縁部
２３１  折曲部
２４    メッシュ部
３０    連結具
３１    Ｕボルト
３２    プレート
３３    ナット
Ｘ      設置面
【図１】
0003210932.tif 000003
【図２】
0003210932.tif 000004
【手続補正書】
【提出日】平成29年4月12日(2017.4.12)
【手続補正１】
【補正対象書類名】実用新案登録請求の範囲
【補正対象項目名】全文
【補正方法】変更
【補正の内容】
【実用新案登録請求の範囲】
【請求項１】
設置面に配置して土留機能や転石捕捉機能を発揮するための、金属柵であって、
設置面の左右方向に所定間隔を設けて立設する、複数の支柱と、
前記支柱間に配置する、面材と、を少なくとも有し、
前記面材は、少なくとも一部をメッシュ状としてある一部材のエキスパンドメタルを少なくとも１つ以上含んでなることを特徴とする、
金属柵。
【請求項２】
前記面材が、該面材の上縁部、中間部および下縁部を除いた箇所をメッシュ状としてあることを特徴とする、
請求項１に記載の金属柵。
【請求項３】
前記上縁部および下縁部の端部を前後方向に折曲する折曲部を有し、前記折曲して前記面材を段積みしてあることを特徴とする、
請求項２に記載の金属柵。
【請求項４】
前記中間部に、前後方向に突出するリブを設けてあることを特徴とする、
請求項２または３に記載の金属柵。
【請求項５】
前記支柱および前記面材が、耐食性メッキ鋼板からなることを特徴とする、
請求項１乃至４のうち何れか１項に記載の金属柵。
【手続補正２】
【補正対象書類名】明細書
【補正対象項目名】０００６
【補正方法】変更
【補正の内容】
【０００６】
上記課題を解決すべくなされた本願の第１発明は、設置面に配置して土留機能や転石捕捉機能を発揮するための、金属柵であって、設置面の左右方向に所定間隔を設けて立設する、複数の支柱と、前記支柱間に配置する、面材と、を少なくとも有し、前記面材は、少なくとも一部をメッシュ状としてある一部材のエキスパンドメタルを少なくとも１つ以上含んでなることを特徴とする。
また、本願の第２発明は、前記第１発明において、前記面材が、該面材の上縁部、中間部および下縁部を除いた箇所をメッシュ状としてあることを特徴とする。
また、本願の第３発明は、前記第２発明において、前記上縁部および下縁部の端部を前後方向に折曲する折曲部を有し、前記折曲して前記面材を段積みしてあることを特徴とする
また、本願の第４発明は、前記第２発明または第３発明において、前記中間部に、前後方向に突出するリブを設けてあることを特徴とする。
また、本願の第５発明は、前記第１乃至第４発明のうち何れか１つの発明において、前記支柱および前記面材が、耐食性メッキ鋼板からなることを特徴とする。